(57)【要約】【課題】テレビ放送記録装置側に文字入力・漢字変換辞書システムを、限られたスペースに搭載することなく、また安価な構成で録画予約する番組名を入力する。【解決手段】外部機器Ｂとして携帯電話機は、文字入力及び漢字変換機能を介して入力した録画予約番組名のデータをテレビ放送記録装置Ａに送信し、テレビ放送記録装置Ａは、ワンセグテレビ放送により放送される電子番組表を受信して取得するとともに、取得した電子番組表の最後の番組以降の電子番組表を受信して再取得し、再取得を所定の期限まで繰り返し、外部機器Ｂから送信される録画予約番組名と、取得された電子番組表の番組名と照合し、一致又はほぼ一致する電子番組表の番組を録画予約する。【選択図】図１
2009060194.tif 000002
【特許請求の範囲】
【請求項１】
テレビ放送により放送される電子番組表に基づいて放送番組を予約録画するテレビ放送記録装置において、
文字入力機能を有する機器から送信される録画予約番組名のデータを受信する受信手段と、
前記録画予約番組名のデータを受信した場合に、放送中の前記電子番組表を受信して取得するとともに、前記取得した電子番組表の最後の番組以降の電子番組表を再受信して再取得し、前記再取得を所定の期限まで繰り返す電子番組表取得手段と、
前記受信手段により受信された録画予約番組名と、前記電子番組表取得手段により取得された電子番組表の番組名とを照合し、一致又はほぼ一致する前記電子番組表の番組を録画予約する録画予約手段とを、
備えたことを特徴とするテレビ放送記録装置。
【請求項２】
文字入力機能を有し、前記文字入力機能を介して入力した録画予約番組名のデータを送信する送信装置と、
前記録画予約番組名のデータを受信した場合に、テレビ放送により放送される放送中の電子番組表を受信して取得するとともに、前記取得した電子番組表の最後の番組以降の電子番組表を再受信して再取得し、前記再取得を所定の期限まで繰り返し、前記送信装置から送信される録画予約番組名のデータを受信して前記受信された録画予約番組名と、前記取得された電子番組表の番組名とを照合し、一致又はほぼ一致する前記電子番組表の番組を録画予約するテレビ放送記録装置とを、
備えたテレビ放送録画予約システム。
【発明の詳細な説明】
【技術分野】
【０００１】
本発明は、テレビ放送を受信して記録・再生するテレビ放送記録装置及びテレビ放送録画予約システムに関し、特にワンセグメントテレビ放送により放送される電子番組表に基づいて放送番組を予約録画するテレビ放送記録装置及びテレビ放送録画予約システムに関する。
【背景技術】
【０００２】
近年、ＩＳＤＢ−Ｔ規格（Intergrated Services Digital Broadcasting-Terrestrial）の携帯機器向け地上デジタルテレビ放送であるワンセグメント放送（以降：ワンセグ放送）を受信する携帯型ワンセグ放送受信機が知られている（例えば下記の特許文献１、２参照）。このため、ワンセグ放送を受信して記録・再生するテレビ放送記録装置が考えられる。このワンセグ放送においても１２セグ放送の地上波デジタルテレビ放送と同様に、放送番組に多重して電子番組情報（以降：ＥＰＧ）が送られるので、カーソルキーなどを用いてＥＰＧのＧＵＩ（グラフィカル・ユーザ・インタフェース）から放送番組を録画予約することができる。
【特許文献１】特開２００６−４１５８３号公報（要約書）
【特許文献２】特開２００６−３２４７４０号公報（要約書）
【発明の開示】
【発明が解決しようとする課題】
【０００３】
しかしながら、ワンセグ放送において送られるＥＰＧの番組数は最多でも１０番組までとデータ量が、１２セグ放送の地上波デジタルテレビ放送のＥＰＧ（おおよそ１週間分）より少ないので、テレビ放送記録装置では、そのＥＰＧ以降の時間帯の番組の録画予約を行うことができないという問題がある。ここで、テレビ放送記録装置に通信機能を持たせ、インターネットから長時間分のＥＰＧを取得する方法も考えられるが、この場合もコストアップや通信料が必要などの課題がある。
【０００４】
ところで、これらの問題点を解決する方法として、テレビ放送記録装置の側に、ユーザが所望の録画予約する番組名を登録するための文字入力（及び、かな漢字変換辞書）システムと、取得したＥＰＧの最後の番組以降のＥＰＧを再取得して更新し、文字入力・漢字変換辞書システムにより録画予約された番組名を検索して録画予約する機能とを設ける方法が考えられる。しかしながら、この方法では、録画予約番組名を入力するためのキーなどを、テレビ放送記録装置の限られたスペースに表示部とともに搭載する必要があるので、使い勝手のよい入力装置の搭載が困難であり、また、高価となる。
【０００５】
本発明は上記従来技術の問題点に鑑み、録画予約番組名を入力するためのキーなどを、限られたスペースに搭載することなく、また安価な構成で録画予約番組名を入力して録画予約することができるテレビ放送記録装置及びテレビ放送録画予約システムを提供することを目的とする。
【課題を解決するための手段】
【０００６】
本発明は上記目的を達成するために、テレビ放送により放送される電子番組表に基づいて放送番組を予約録画するテレビ放送記録装置において、
文字入力機能を有する機器から送信される録画予約番組名のデータを受信する受信手段と、
前記録画予約番組名のデータを受信した場合に、放送中の前記電子番組表を受信して取得するとともに、前記取得した電子番組表の最後の番組以降の電子番組表を再受信して再取得し、前記再取得を所定の期限まで繰り返す電子番組表取得手段と、
前記受信手段により受信された録画予約番組名と、前記電子番組表取得手段により取得された電子番組表の番組名とを照合し、一致又はほぼ一致する前記電子番組表の番組を録画予約する録画予約手段とを、
備えたことを特徴とする。
【０００７】
また本発明のテレビ放送録画予約システムは上記目的を達成するために、文字入力機能を有し、前記文字入力機能を介して入力した録画予約番組名のデータを送信する送信装置と、
前記録画予約番組名のデータを受信した場合に、テレビ放送により放送される放送中の電子番組表を受信して取得するとともに、前記取得した電子番組表の最後の番組以降の電子番組表を再受信して再取得し、前記再取得を所定の期限まで繰り返し、前記送信装置から送信される録画予約番組名のデータを受信して前記受信された録画予約番組名と、前記取得された電子番組表の番組名とを照合し、一致又はほぼ一致する前記電子番組表の番組を録画予約するテレビ放送記録装置とを、
備えたことを特徴とする。
【発明の効果】
【０００８】
本発明によれば、文字入力機能を有する外部機器として、例えば、携帯電話機側で録画予約番組名を入力することができるので、テレビ放送記録装置側に文字入力（及び、かな漢字変換辞書）システムを搭載することなく安価な構成で、録画予約番組名を入力することができる。
【発明を実施するための最良の形態】
【０００９】
以下、図面を参照して本発明の実施の形態について説明する。図１は本発明に係るテレビ放送録画予約システムの一実施の形態を示す構成図、図２は図１のテレビ放送録画予約システムの録画予約番組の登録を示す説明図、図３は図１のテレビ放送記録装置を詳しく示すブロック図である。
【００１０】
図１において、ワンセグ放送を受信して記録・再生するテレビ放送記録装置Ａに対して、外部機器Ｂは、録画予約する番組名を近距離通信の一例として赤外線発光センサ１から送信する。外部機器Ｂとして、例えば、携帯電話機は既存の機能として、高性能な文字入力・辞書機能を有するので、番組名などの入力は非常に容易に行うことができ、また、irDA方式（Infrared Data Association）の赤外通信機能が搭載されていて、録画予約する番組名などのデータを赤外線通信により送信可能になっている。したがって、テレビ放送記録装置Ａに安価な赤外線受信センサ４３を設けるだけで、携帯電話機からの番組名などの情報が入手でき、また、テレビ放送記録装置Ａには辞書機能も入力装置も必要がない。文字の転送は図１のようにユーザが自分の使い慣れた携帯電話機などで、番組名もしくは番組名の一部を入力すると、入力された番組名は、例えばテキストデータやvCalendar形式として赤外線送信できる。なお、外部機器Ｂは携帯電話機に限定されず、ＰＤＡ（パーソナル・デジタル・アシスタンツ）、ノートPC（ノート・パーソナル・コンピュータ）、デスクトップPC（デスクトップ・パーソナル・コンピュータ）でもよい。
【００１１】
また、使用者は携帯電話機の入力装置および辞書機能を使用して、録画予約データとして番組名、又は番組名とおおよその時間帯を表す開始時刻と終了時刻を入力し、携帯電話機の赤外線通信機能を使用して、テレビ放送記録装置Ａに送信することができる。テレビ放送記録装置Ａは赤外線通信機能で、携帯電話機から送信される録画予約データとして、番組名又は番組名とおおよその時間帯を表す開始時刻と終了時刻の情報を受信してＲＡＭ４５（図３）に保存する。
【００１２】
テキストデータとvCalendar形式での操作の仕方を例として簡単に説明する。携帯電話機のメモ機能などのテキストデータを利用して、録画予約データとして番組名のみを送る場合は、例えば、図１に示すように番組名「ニュースの林」のみを入力し、赤外線送信すればよい。また、図２に示すように、時間帯を追加して指定したい場合は番組名「ニュースの林」で改行し、その後に時間を○○：○○〜○○：○○（例えば、１３：００〜１９：００）というように指定すればよい。またチャンネルも分かる場合は、改行して○Ｃｈ又は○Ｃｈ（例えば、４Ｃｈ、６Ｃｈ、８Ｃｈ）と入力すればよい。さらに、何種類かのチャンネルで迷う場合はその何種類かのチャンネルを入力しておく。
【００１３】
また、携帯電話機のスケジュール帳機能などのvCalendar形式を利用して録画予約データを入力する場合は、スケジュール帳のフォーマットに従って、件名の欄に番組名を入力し、時刻入力の欄に検索開始時刻と検索終了時刻を指定する。さらに詳細な内容を書き込む欄に、チャンネルが分かるならば入力する。受信側であるテレビ放送記録装置Ａは、テキストデータと同じように、図２のように受信される。時刻の指定は普通のタイマ予約とは違い、大体の時間帯を指定して、指定された時間帯のみ検索する。時間帯指定は、検索する時間帯の指定なので、番組が見つかれば、録画開始時間と終了時間はＥＰＧデータから取得される。
【００１４】
図３を参照して、本発明の一実施の形態のテレビ放送記録装置Ａについて説明する。同図においてＣＰＵ（Central Processing Unit）４１はバス４１１を介して各ブロック４２〜４６、４１０の制御などを行う。ハードディスク４４は、ワンセグ放送の番組を録画するための記録媒体であり、ＳＤカードやフラッシュメモリでもよい。赤外線受信センサ４３は外部機器Ｂとして、例えば、携帯電話機などから番組名、時刻などの録画予約情報を赤外線受信で取得してＣＰＵ４１に送る。ＣＰＵ４１はこの録画予約情報を番組名や放送される時刻としてＲＡＭ４５に保存する。ＴＶチューナ４２はＣＰＵ４１から設定されたチャンネルのワンセグ放送を受信し、ＥＰＧや放送番組のＡＶコンテンツを取得する。このＥＰＧはＣＰＵ４１に送られ、ＡＶコンテンツは信号処理部４７に送られる。
【００１５】
ＲＯＭ４６にはＣＰＵ４１を動作させるためのプログラムが記憶されていて、電源投入時に自動的にＣＰＵ４１にプログラムがブート（boot）されるとともに、受信可能なＴＶチャンネルのリストがあらかじめ保存されている。信号処理部４７ではＴＶチューナ４２から送られた、圧縮されたＡＶコンテンツをデコードして動画を表示部４８に出力した、また、音声信号を音声出力部４９に出力する。またＴＶチューナ４２から取得された放送ストリームに所定の処理を行い、ハードディスク４４に記録したり、再生する。
【００１６】
詳しく説明すると、ユーザがユーザインタフェース（ＵＩ）４１０を操作してＣＰＵ４１を赤外入力モードに設定するとともに、外部機器Bである携帯電話機から送信された赤外データを赤外線受光センサ４３で受信してデジタルデータに変換し、ＣＰＵ４１に入力すると、ＣＰＵ４１は入力を完了した場合に携帯電話機に対して受信完了を送信するとともに、受信したデータをデコードして、番組名などの録画予約番組データをＲＡＭ４５に保存する。次にＣＰＵ４１はＴＶチューナ４２を起動し、ＲＯＭ４６にあらかじめ保存されている受信可能なＴＶチャンネルデータ（例えば、Ｃｈ１、Ｃｈ２〜）を読み出し、例えば一番数字の小さいチャンネル（例えば、Ｃｈ１）を受信するようにＴＶチューナ４２を制御する。
【００１７】
ＴＶチューナ４２は、前記チャンネルの放送ストリームを受信して放送ストリームデータを信号処理部４７に出力する。信号処理部４７では前記放送ストリームデータに多重して送られてくるＥＰＧデータの部分を抜き出してＣＰＵ４１に送る。ＣＰＵ４１は、信号処理部４７から送られたＥＰＧデータをＲＡＭ４５から保存されている前記番組名などの録画予約データを読み出し、比較する。前記番組名などの録画予約データが一致もしくはほぼ一致した場合に、ＥＰＧデータを録画予約データとしてＲＡＭ４５に保存する。また、一致しない場合は、ＥＰＧの最後の番組の時間をＲＡＭ４５に記録し、次のチャンネルで同様の操作を行う。
【００１８】
図４〜図７を参照して具体的な処理を説明する。図４は、外部機器Ｂの録画予約時の処理を説明するためのフローチャートである。図４において、録画予約を行う番組名などの録画予約データが入力すると（ステップｓ１）、入力データを赤外線で送信し（ステップｓ２）、送信が完了すると（ステップｓ３でＹ）、この処理を終了する。
【００１９】
図５はテレビ放送記録装置ＡのＥＰＧ取得処理を説明するためのフローチャートである。図５において、まず、外部機器Ｂから録画予約データを受信すると（ステップＳ１）、ＲＡＭ４５のキーワードデータエリアに、録画予約データ内の検索用のキーワードと、そのキーワードの有効期限を保存する（ステップＳ２）。検索用のキーワードとは、例えば、図１に示す番組名「ニュースの林」を受信した場合には「ニュース」、「林」である。また、キーワードの有効期限は、図５に示す検索処理が永久に続かないように設定するためであり、例えば「現在から○○時間」、「午前０時」などを設定する。なお、この有効期限は、テレビ放送記録装置Ａ側で任意に設定してよいし、また、図３に示す処理でユーザが外部機器Ｂで入力してテレビ放送記録装置Ａ側に設定してもよい。
【００２０】
次いでＴＶチューナ４２をオンにし（ステップＳ３）、次いでＴＶチューナ４２を介して現在の時間の全チャネルのＥＰＧを取得し（ステップＳ４）、次いで、取得したＥＰＧにおいて全チャネルのＥＰＧの最後の番組の終了時刻の最も早い時刻をＲＡＭ４５に保存する（ステップＳ５）。ここで、前述したように、ワンセグ放送において送られるＥＰＧの番組数は最多でも１０番組までである。また、ステップＳ２において設定される有効期限は、ＥＰＧの最後の番組が終了する時刻より遅い時刻に設定されることはもちろんである。次いでＴＶチューナ４２をオフにし（ステップＳ６）、次いで現在時刻がステップＳ２において設定された有効期限か否かをチェックする（ステップＳ７）。有効期限でなければ、現在時刻がステップＳ５において保存した時刻か否かをチェックし（ステップＳ８）、保存した時刻でなければステップＳ７に戻り、他方、保存した時刻になるとステップＳ３に戻ってＥＰＧを再び取得し、ＥＰＧを更新する。ステップＳ７において現在時刻が有効期限になると、このＥＰＧ取得処理を終了してＥＰＧの再取得（更新）を行わない。
【００２１】
図６はテレビ放送記録装置Ａの録画予約番組の検索処理を説明するためのフローチャートである。図６において、まず、キーワードデータエリアにキーワードの有効期限があるか否かをチェックし（ステップＳ９）、ある場合にはステップＳ１０に進む。ステップＳ１０では現在時刻が有効期限内か否かをチェックし、有効期限内であればステップＳ１１以下に進み、他方、有効期限内でなければこの検索処理を終了する。
【００２２】
ステップＳ１１以下では、まず、チャンネルカウンタｉと番組カウンタｎを初期値（ｉ＝１，ｎ＝１）に設定し（ステップＳ１１）、次いで保存されているＥＰＧから、ｉ番目のチャンネルのｎ番目の番組名を取り出す（ステップＳ１２）。次いでこの取り出した番組名とキーワードの番組名を先頭の文字から照合していき（ステップＳ１３）、次いで一致率を求める（ステップＳ１４）。そして、一致率が一例として６０％以上の場合にその番組をＲＡＭ４５の録画予約エリアに保存する（ステップＳ１５→Ｓ１６）。
【００２３】
次いで番組カウンタｎを１つインクリメントし（ステップＳ１７）、次いでその番組が、保存されているＥＰＧにおけるｉ番目のチャンネルの最後の番組か否かをチェックする（ステップＳ１８）。最後の番組でなければステップＳ１２に戻ってｎ番目の番組名の照合を行い、他方、最後の番組であればチャンネルカウンタｉを１つインクリメントする（ステップＳ１９）。次いでそのチャンネルが、保存されているＥＰＧにおける最後のチャンネルか否かをチェックし（ステップＳ２０）、最後のチャンネルでなければ番組カウンタｎを初期値（ｎ＝１）に設定し（ステップＳ２１）、次いでステップＳ１２に戻ってｎ番目の番組名の照合を行う。ステップＳ２０において最後のチャンネルであればステップＳ９に戻る。
【００２４】
図７はテレビ放送記録装置Ａの予約録画処理を説明するためのフローチャートである。図７において、まず、ＲＡＭ４５の録画予約エリアに保存されている番組があるか否かをチェックし（ステップＳ３１）、ない場合にはこの予約録画処理を終了する。他方、ある場合には、保存しているＥＰＧのその番組を録画予約し（ステップＳ３２）、次いでその番組の開始時刻と現在時刻を比較することにより録画予約時間になったか否かをチェックし（ステップＳ３３）、録画予約時間になるとＴＶチューナ４２をオンにして予約録画を開始する（ステップＳ３４）。そして、これを録画予約エリアに番組がなくなるまで繰り返す。
【００２５】
また日付けなども入力しておけば、数日間検索を行うこともできる。さらに番組名や時間帯、チャンネル以外にも出演者などを入力しておけば、さらに番組を絞り込むことができる。また番組名を誤って入力した場合は、検索時間が有効期間を超えた場合は「番組が見つかりませんでした」などメッセージを表示して番組の検索を終了するようにしておく。
【００２６】
以上説明したように本発明によれば、テレビ放送記録装置に高価な文字入力・辞書機能を設ける必要なく安価な構成で、録画予約する番組名を登録することができる。また、パーソナル・コンピュータにつないだり、携帯電話機などからメールを使ったり、ＥＰＧをダウンロードするなどの通信料も必要ない。また通信機能を使用する場合、サーバが混んでいるときに送受信が困難な場合があり、また、地下などの携帯電話機の電波が圏外のときは圏内に戻るまで使えないが、赤外線送受信などは問題ない。また、移動に地下鉄を使用する人でも移動中に録画予約することができる。さらに、使い慣れた外部機器から文字を入力することができるので、すばやく予約を行える。また、ＥＰＧ情報量が少ない場合でも、番組が見つかるまで検索するので、正確な放送時間が分からずとも、番組を取り逃がすことはない。また、特別報道番組や野球中継の延長などで、番組を取り逃がすこともない。さらに、常にＴＶチューナ４２の電源が入っていないので、電池の消費も少ない。また、番組名が完璧に分からなくても、近い番組名タイトルはすべて検索範囲内に追加されるため録り逃しを防ぐことができる。
なお、上述の実施の形態では、例として赤外線通信を用いて説明しているが、他の例としてＷｉ−Ｆｉ（Ｗｉｒｅｌｅｓｓ  Ｆｉｄｅｌｉｔｙ）、Ｂｌｕｅｔｏｏｔｈ、ＵＳＢなどでもよい。
また、録画予約番組名のデータを送信する外部機器として、携帯電話機を用いて説明しているが、例えばＰＤＡ（パーソナル・デジタル・アシスタンツ）、ノートＰＣ（ノート・パーソナル・コンピュータ）、デスクトップＰＣ（デスクトップ・パーソナル・コンピュータ）などでもよい。
【図面の簡単な説明】
【００２７】
【図１】本発明に係るテレビ放送録画予約システムの一実施の形態を示す構成図である。
【図２】図１のテレビ放送録画予約システムの録画予約番組の登録を示す説明図である。
【図３】図１のテレビ放送記録装置を詳しく示すブロック図である。
【図４】図１の外部機器の録画予約時の処理を説明するためのフローチャートである。
【図５】図１のテレビ放送記録装置のＥＰＧ取得処理を説明するためのフローチャートである。
【図６】図１のテレビ放送記録装置の録画予約番組の検索処理を説明するためのフローチャートである。
【図７】図１のテレビ放送記録装置の予約録画処理を説明するためのフローチャートである。
【符号の説明】
【００２８】
Ａ  テレビ放送記録装置
Ｂ  外部機器
４１  ＣＰＵ
４２  ＴＶチューナ
４３  赤外線受光センサ
４４  ハードディスク
４５  ＲＡＭ
４６  ＲＯＭ
４７  信号処理部
４８  表示部
４９  音声出力部
４１０  ユーザインタフェース（ＵＩ）
４１１  バス
【図１】
2009060194.tif 000003
【図２】
2009060194.tif 000004
【図３】
2009060194.tif 000005
【図４】
2009060194.tif 000006
【図５】
2009060194.tif 000007
【図６】
2009060194.tif 000008
【図７】
2009060194.tif 000009